(57)【要約】【課題】正しい姿勢で着座することができ、頭痛、肩こり、不眠症、及び便秘の症状をより良好に緩和することができる電位治療器を提供する。【解決手段】電位治療器１０は、前面の左右中央部が最も後方に位置するように窪んだ湾曲面１６Ａを有した背凭れ部１６と、上面が背凭れ部１６に向けて下方に傾斜する着座部１１と、着座部１１に設けられた電極７４とを備えている。【選択図】図９
2019092853.tif 000002
【特許請求の範囲】
【請求項１】
前面の左右中央部が最も後方に位置するように窪んだ湾曲面を有した背凭れ部と、
上面が前記背凭れ部に向けて下方に傾斜する座部と、
前記背凭れ部又は前記座部に設けられた電極と、
を備えていることを特徴とする電位治療器。
【請求項２】
前記電極は接触型であることを特徴とする請求項１に記載の電位治療器。
【請求項３】
前記電極は前記座部の上面に設けられていることを特徴とする請求項１又は２に記載の電位治療器。
【請求項４】
前記座部の上面には、面状に疎密に配線されたヒーター線を有するヒーター部材が設けられ、
前記ヒーター線が疎に配線された前記ヒーター部材の領域に前記電極が重ねられていることを特徴とする請求項１乃至３のいずれか１項に記載の電位治療器。
【請求項５】
前記座部は、前面の左右中央部に後方向に窪んだ窪み部が設けられていることを特徴とする請求項１乃至４のいずれか１項に記載の電位治療器。
【発明の詳細な説明】
【技術分野】
【０００１】
本発明は、電位治療器に関するものである。
【背景技術】
【０００２】
特許文献１の電位治療器は、座部、背凭れ部、座部に着座した使用者の頭部上方に位置する頭部電極（機能部）、及び頭部電極の下側に位置する足部電極（機能部）を備えている。この電位治療器は高電圧発生装置（制御部）で生じた高電圧を頭部電極と下部電極とに印加して、頭部電極と下部電極との間で高電界を発生させて、使用者を高電位とすると共に、使用者を高電界内に入れることによって使用者に電位治療を施すことができる。
【先行技術文献】
【特許文献】
【０００３】
【特許文献１】特開２００２−１６５８８８号公報
【発明の概要】
【発明が解決しようとする課題】
【０００４】
しかし、この電位治療器は、背凭れ部、及び座部が左右方向に直線状に形成されている。このため、この電位治療器に使用者が着座する場合、使用者の姿勢が左右に旋回したり、左右に傾いたりするおそれがある。つまり、使用者がこの電位治療器に着座した場合、使用者の姿勢が良好でない状態になるおそれがある。
電位治療器に着座した人の姿勢が良好でない状態になると、使用者の背中や首の回りの筋肉が緊張し、使用者の血流が良好でなくなり、頭痛や肩こりが発症したり、自律神経が不安定になり使用者がリラックスした状態でなくなるため不眠症が発症したり、使用者の腹部が圧迫された場合、使用者の腸の運動（分節運動や蠕動運動等）が行われ難くなり便秘の症状が発症したりたりするおそれがある。
このため、この電位治療器は、姿勢が良好でない状態で着座した使用者に電位治療を施した場合、電位治療の作用を使用者に効果的に与えられないおそれがある。
【０００５】
本発明は上記のような事情に基づいて完成されたものであって、正しい姿勢で着座することができ、頭痛、肩こり、不眠症、及び便秘の症状をより良好に緩和することができる電位治療器を提供することを目的とする。
【課題を解決するための手段】
【０００６】
この電位治療器は、前面の左右中央部が最も後方に位置するように窪んだ湾曲面を有した背凭れ部と、
上面が前記背凭れ部に向けて下方に傾斜する座部と、
前記背凭れ部又は前記座部に設けられた電極とを備えていることを特徴とする。
【０００７】
この電位治療器は、座部に使用者が着座すると、背凭れ部に向けて下方に傾斜する座部によって、使用者の臀部が背凭れ部から離れ難くなる。これにより、使用者の腸骨や腰椎が背凭れ部の前面に沿う。さらに、背凭れ部の湾曲面によって使用者の体が左右に旋回したり、左右に傾いたりすることが抑えられ、正しい姿勢で使用者が着座することができ、使用者の背中や首の回りの筋肉の緊張が緩和されるため、血流が良好になる。これにより、使用者の頭痛や肩こりの症状を緩和することができる。さらに、自律神経が安定し使用者がリラックスした状態になるため、使用者の不眠症を緩和することができる。また、腸骨が背凭れ部の前面に沿うことによって使用者の腹部が圧迫され難くなるため、使用者の腸の運動（分節運動や蠕動運動等）が行われ易くなり、使用者の便秘の症状を緩和することができる。
また、この電位治療器は、背凭れ部の湾曲面と、背凭れ部に向けて下方に傾斜する座部とによって、電極の位置に使用者の体の位置を案内することができる。また、この電位治療器は、背凭れ部に向けて下方に傾斜する座部によって、使用者が深く着座することができる。これにより、電位治療器を使用することを意識することによって生じる使用者の緊張を緩和することができる。
さらに、この電位治療器は電極で電圧が生じると、この電圧によって使用者に電位治療を施すことができる。これにより、使用者が座部に着座した状態で電位治療器の電極で電圧が生じると、使用者の頭痛、肩こり、不眠症、及び便秘の症状を緩和することができる。
つまり、この電位治療器は、座部に着座した使用者が正しい姿勢になった状態で電位治療を施すことによって、使用者の頭痛、肩こり、不眠症、及び便秘の症状をより良好に緩和することができる。
【０００８】
したがって、本発明の電位治療器は、正しい姿勢で着座することができ、頭痛、肩こり、不眠症、及び便秘の症状をより良好に緩和することができる。
【図面の簡単な説明】
【０００９】
【図１】実施例１のカバー部材に覆われていない状態の電位治療器の正面図である。
【図２】実施例１のカバー部材に覆われていない状態の電位治療器の平面図である。
【図３】実施例１のカバー部材に覆われていない状態の電位治療器を左方からみた側面図である。
【図４】図１における矢示Ａ−Ａ断面図である。
【図５】実施例１の電位治療器に対する制御部、及び機能部の取り付け位置を示す斜視図である。
【図６】（Ａ）は第１ヒーター部材、及び電極が着座部の上側に位置する表面クッション部材の上面に貼着された状態を示す平面図であり、（Ｂ）は（Ａ）における矢示Ｃ−Ｃ断面図である。
【図７】（Ａ）は図２における矢示Ｂ−Ｂ断面図であって、第２ヒーター部材が背凭れ部の前側に位置する表面クッション部材の前面に貼着された状態を示し、（Ｂ）は（Ａ）における矢示Ｄ−Ｄ断面図である。
【図８】実施例１における、制御部、機能部、操作部、及びブランケットの構成を示した概略図である。
【図９】図１における矢示Ａ−Ａ断面図であって、設置面に配置された絶縁部材の上面に載置された実施例１の電位治療器に使用者が着座した状態を示す。
【図１０】電極で生じる電圧の大きさの変化を示すグラフである。
【図１１】実施例１の電位治療器の斜視図である。
【図１２】実施例１の電位治療器の正面図である。
【図１３】実施例１の操作部を用いて電位治療器の制御部や機能部を操作する方法を示すフローチャートである。
【発明を実施するための形態】
【００１０】
本発明の電位治療器の電極は接触型であり得る。この場合、この電位治療器は、電極の一部が使用者に接触するのみで、電極で生じた電圧を使用者の体全体に一様に付与することができる。
【００１１】
本発明の電位治療器の電極は座部の上面に設けられ得る。この場合、使用者が座部に着座した状態において、使用者の臀部や太腿の付け根部分は座部から離れる機会が少ない。このため、電極を座部の上面に設けることによって使用者の体に電極をより確実に接触させることができる。
【００１２】
本発明の座部の上面には、面状に疎密に配線されたヒーター線を有するヒーター部材が設けられ、ヒーター線が疎に配線されたヒーター部材の領域に電極が重ねられ得る。この場合、電極に接触するヒーター線の長さが長くなると、電極で生じる電圧が所望の大きさに到達しないおそれがある。このため、この電位治療器はヒーター線が疎に配線された前記ヒーター部材の領域に電極を重ね、電極に接触するヒーター線の長さを抑えることによって、電極で生じる電圧が所望の大きさに到達し易くすることができる。
【００１３】
本発明の座部は、前面の左右中央部に後方向に窪んだ窪み部が設けられ得る。この場合、この電位治療器は、座部に着座した使用者が立ち上がる際に、窪み部に足を配置することによって、使用者の重心の位置を使用者の足の上に移動させ易くすることができるため、使用者が立ち上がり易い。
また、この電位治療器を設置面に設置する場合、電気伝導性を有さない絶縁部材を介して設置面に設置する必要がある。そして、絶縁部材は、座部の前側から前方に、使用者の足を配置する所定の領域を設ける必要がある。つまり、この電位治療器は、窪み部によって使用者の足を配置する所定の領域をより広くすることができる。これにより、電位治療器に着座した使用者が立ち上がる場合、窪み部に足を配置することによって使用者の足が所定の領域内に留まり易くすることができ、使用者の足が設置面に接触する機会を抑えることができる。
【００１４】
次に、本発明の電位治療器を具体化した実施例１について、図１〜１３を参照しつつ説明する。
【００１５】
＜実施例１＞
実施例１の電位治療器１０は、図１〜５に示すように、座部である着座部１１、背凭れ部１６、表面クッション部材１４、制御部７０、機能部７５、操作部８０、カバー部材２０、及び絶縁部材２１を備えている。電位治療器１０は、着座部１１に着座した使用者５０の臀部５１、太腿の付け根部分５３、及び背中５２を暖めたり、使用者５０に対して電位治療を施したりする（図９参照。）。
【００１６】
着座部１１は、座部本体１１Ｅ、第１座部クッション部材１２、及び第２座部クッション部材１３を有している。
座部本体１１Ｅは、例えば、多孔質体であり、発泡樹脂である公知の発泡スチロール等で形成されている。つまり、座部本体１１Ｅは多孔質体である発泡スチロールで形成されている。
【００１７】
座部本体１１Ｅの底面は平面状に形成されている（図１、３、４参照。）。座部本体１１Ｅは、図２に示すように、上方（上下は、図２における、手前側、奥側である）からの平面視において、左右方向（左右は、図２における左側、右側である）の寸法が後端より前端が僅かに大きいほぼ台形形状をなしている。また、着座部１１の座部本体１１Ｅの前面（前後は、図２における下側、上側である）の左右中間部に後方向に窪んだ窪み部１１Ｆが形成されている（図４、５、９参照。）。これにより、着座部１１に着座した使用者５０が立ち上がる際に窪み部１１Ｆに足を配置することによって、使用者５０の重心の位置を使用者５０の足の上に移動させ易くすることができるため、使用者５０が立ち上がり易い（図９参照。）。
また、座部本体１１Ｅの前端面の上端部は、下端部より前方向に突き出している（すなわち、オーバーハングしている。）。
また、座部本体１１Ｅの上面は、図４に示すように、前後方向において下方向に窪んでおり、前端から前後中央部に向けて後方向に下降して傾斜し、前後中央部から後端部に向けて上昇して傾斜している。つまり、着座部１１は上面が背凭れ部１６に向けて下方に傾斜している。これにより、図９に示すように、着座部１１に使用者５０が着座すると、使用者５０の臀部５１が後述する背凭れ部１６に近づき易くなり、背凭れ部１６から離れ難くなる。すると、使用者５０の腸骨５４が背凭れ部１６の前面に沿う。また、座部本体１１Ｅの上面の左右両端部には、前後方向に延びて上方向に突出した一対の凸部１１Ｄが設けられている（図１、５参照。）。
【００１８】
また、図１、３、５に示すように、座部本体１１Ｅの左側の下側には溝１１Ａが形成されている。具体的には、溝１１Ａは左右方向に所定の幅を有して前後方向に延びており、座部本体１１Ｅの底面に開口して上方向に窪んで形成されている（図示せず。）。また、溝１１Ａは後側の面が上方向に向けて前側に傾斜して形成されており、前端面が上方向にほぼ垂直に形成されている（図３、５参照。）。つまり、溝１１Ａは左方又は右方から見た側面視においてほぼ台形状である（図３参照。）。また、溝１１Ａには、溝１１Ａが成す空間とほぼ同じ形状であり、平板状をなした固定板１９が着座部１１の下方から上方向に挿入されて座部本体１１Ｅに対して固定されている（図５参照。）。固定板１９は例えば木製である。
また、座部本体１１Ｅの左側の側面の下部には右方向に窪んで形成された凹部１１Ｂが設けられている。つまり、凹部１１Ｂは座部本体１１Ｅの左側の側面に形成されており、一方向（左方向）に開口している。凹部１１Ｂには後述する制御部７０が収納される。凹部１１Ｂは前後方向に長いほぼ直方体状をなしている。また、図３に示すように、ほぼ直方体状をなした凹部１１Ｂを形成する四つの面のそれぞれが固定板１９の平板状に拡がる面の領域内に位置している。また、凹部１１Ｂの奥側（図３における奥側）には固定板１９の左側（図３における手前側）の面が露出する。
【００１９】
第１座部クッション部材１２は、例えば、多孔質体であり、発泡樹脂である公知のチップウレタン等で形成されている。第１座部クッション部材１２は、図４、５に示すように、座部本体１１Ｅの上面の前後中央部を覆っている。また、第１座部クッション部材１２は座部本体１１Ｅの一対の凸部１１Ｄの間に配置されている（図５参照。）。第１座部クッション部材１２の表面の後端は後述する背凭れ部１６の前面の下端部に連続するように形成されている（図４参照。）。
【００２０】
また、第１座部クッション部材１２には、図２、４、５に示すように、第１機能部収納部１２Ａ、及び一対の第２機能部収納部１２Ｂが設けられている。第１機能部収納部１２Ａには後述する機能部７５である接続ボックス７１が収納される。また、各第２機能部収納部１２Ｂのそれぞれには、後述する機能部７５である一対の振動ユニット７８の一部であるモータ７８Ａが１つずつ収納される。
具体的には、第１機能部収納部１２Ａは、図２、４に示すように、座部本体１１Ｅの上面の左右中央部の左側であって、背凭れ部１６の近傍の第１座部クッション部材１２に厚み方向に貫通して形成されている。第１機能部収納部１２Ａは左右方向に長いほぼ直方体状をなしている。
また、第１機能部収納部１２Ａと座部本体１１Ｅの凹部１１Ｂとは、図５に示すように、連通孔１１Ｃで連通している。具体的には、連通孔１１Ｃの一方の端が第１機能部収納部１２Ａの内側であって、第１機能部収納部１２Ａを形成する面の内の左側の面に開口しており、第１座部クッション部材１２、及び座部本体１１Ｅを経由して、他方の端が凹部１１Ｂを形成する面の内の上面の後端部に開口している。
一対の第２機能部収納部１２Ｂは、図２、５に示すように、それぞれが第１座部クッション部材１２の左右両端部であって、第１座部クッション部材１２の前後中央部に設けられている。第２機能部収納部１２Ｂはほぼ直方体状をなしている。第２機能部収納部１２Ｂは第１座部クッション部材１２を厚み方向に貫通している（図示せず。）。
【００２１】
第２座部クッション部材１３は、例えば、多孔質体であり、発泡樹脂である公知の低反発の発泡ウレタン等で形成されている。第２座部クッション部材１３は、図４、５に示すように、座部本体１１Ｅの上面の前端部を覆っている。また、第２座部クッション部材１３は座部本体１１Ｅの一対の凸部１１Ｄの間に配置されている。第２座部クッション部材１３の上面の後端は第１座部クッション部材１２の上面の前端にほぼ面一である。また、第２座部クッション部材１３の上面の前端部は、前方上側に湾曲し、座部本体１１Ｅの前面の上端にほぼ面一に形成されている（図４参照。）。
【００２２】
背凭れ部１６は、例えば、多孔質体であり、発泡樹脂である公知の発泡スチロール等で形成されており、座部本体１１Ｅと一体的に形成されている。つまり、背凭れ部１６は多孔質体である発泡スチロールで形成されている。
背凭れ部１６は、図２に示すように、背凭れ部１６の左右中央部を構成する第１支持部１７と、背凭れ部１６の左右両側縁部を構成する左右対称な一対の第２支持部１８を有している。第１支持部１７は座部本体１１Ｅの後端部から上方向に延びている。各第２支持部１８は、第１支持部１７の左右両側縁から前方に向けて互いの間隔が拡がるように斜め前方へ延びて形成されている。これにより、背凭れ部１６は、上方からの平面視において、前面の左右中央部が最も後方に位置するように窪んだ湾曲面１６Ａを形成している（図２参照。）。また、各第２支持部１８の下側は、下方向に向かうに従い、後方向に傾斜している。これにより、着座部１１に着座した使用者５０が立ち上がる場合、着座部１１の上面に手を添えることができ、立ち上がり易い。また、各第２支持部１８は着座部１１に着座した使用者５０の背中５２の左右両側部の一部に当たるのみであるため、使用者５０の背中５２の左右両側部が蒸れ難くなり、さらに、使用者５０が圧迫感を感じ難くすることができる。また、背凭れ部１６の第１支持部１７の前面は、図４に示すように、上側に向かうに従い後方向に傾斜する度合いが大きくなっている。これにより、着座部１１に使用者５０が着座すると、第１支持部１７、及び第２支持部１８に寄りかかり易くなる。このため、使用者５０の体重を第１支持部１７、及び第２支持部１８にも分散させることができる。さらに、使用者５０の胸部が圧迫され難くなり、より深く呼吸することができ、これにより、使用者５０がリラックスした状態で着座することができる。そして、第１支持部１７の前後方向の厚みは座部本体１１Ｅから上方向に離れるに従い小さく形成されている。つまり、背凭れ部１６の第１支持部１７の前面は上下方向において前方向に湾曲している。
このため、図９に示すように、着座部１１に使用者５０が着座すると、使用者５０の臀部５１が背凭れ部１６に近づき易くなり、背凭れ部１６から離れ難くなる。すると、使用者５０の腸骨５４及び腰椎５５が背凭れ部１６の前面の前方向の湾曲に沿う。このとき腰椎５５はＳ字状になる。
また、使用者５０が着座部１１に着座すると、背凭れ部１６の湾曲面１６Ａによって使用者５０の体が左右に旋回したり、左右に傾いたりすることが抑えられる。こうして使用者５０は正しい姿勢になる。これにより、使用者５０の背中５２や首の回りの筋肉の緊張が緩和されるため、使用者５０の血流が良好になり、使用者５０の頭痛や肩こりの症状を緩和することができる。さらに、自律神経が安定し、使用者５０がリラックスした状態になるため、使用者５０の不眠症を緩和することができる。また、腸骨５４が背凭れ部１６の前面に沿うことによって使用者５０の腹部が上下方向に広がり圧迫され難くなるため、使用者５０の腸の運動（分節運動や蠕動運動等）が行われ易くなり、使用者５０の便秘の症状を緩和することができる。
なお、第２支持部１８の上面の上下方向の位置が、着座部１１に着座した使用者５０の胸椎の下部を支持する位置より上方に位置する場合、電位治療器１０に着座した使用者５０が圧迫感を感じるおそれがある。また、第２支持部１８の上面の上下方向の位置が、着座部１１に着座した使用者５０の胸椎の下部を支持する位置より下方に位置する場合、電位治療器１０に着座した使用者５０の体が左右に旋回したり、左右に傾いたりし易くなるおそれがある。このため、第２支持部１８の上面の上下方向の位置は、着座部１１に着座した使用者５０の胸椎の下部を支持する位置が好ましい。これにより、着座部１１に着座した使用者５０は、各第２支持部１８の上面に肘を掛けることができ、第２支持部１８の上面に肘を掛けつつ、読書等をすることができる。また、電位治療器１０に着座した使用者５０が立ち上がる場合、各第２支持部１８の上面に手を添えることができ、容易に立ち上がることができる。
【００２３】
湾曲面１６Ａの左右中央部である第１支持部１７の前面は、着座部１１に着座した使用者５０の背中５２の左右中央部が当たり得る領域である（図２、９参照。）。湾曲面１６Ａの左右両側部である各第２支持部１８の前面は、着座部１１に着座した使用者５０の背中５２の左右両側部が当たり得る領域である（図２、９参照。）。また、各第２支持部１８の前端部を使用者５０が把持することによって、電位治療器１０を容易に運搬することができる。
【００２４】
表面クッション部材１４は、例えば、多孔質体であり、発泡樹脂である公知の発泡ウレタン等で形成されている。表面クッション部材１４は第１座部クッション部材１２の第１機能部収納部１２Ａに後述する接続ボックス７１が収納され、一対の第２機能部収納部１２Ｂのそれぞれに、後述する一対の振動ユニット７８の一部であるモータ７８Ａが収納された後に取り付けられる。
表面クッション部材１４は、座部本体１１Ｅの前面、座部本体１１Ｅの一対の凸部１１Ｄの上面、第２座部クッション部材１３の上面、第１座部クッション部材１２の上面、及び背凭れ部１６の前面及び上面に沿ってこれらの面を覆っている。背凭れ部１６の上面を覆う表面クッション部材１４の後端面は背凭れ部１６の後側の面の上端にほぼ面一である。また、座部本体１１Ｅの前面を覆う表面クッション部材１４の下端面は座部本体１１Ｅの底面の前端にほぼ面一である。
【００２５】
電位治療器１０は、着座部１１に使用者５０が着座すると、表面クッション部材１４、第１座部クッション部材１２、及び第２座部クッション部材１３が変形し、使用者５０の臀部５１、太腿の付け根部分５３、及び背中５２に表面クッション部材１４の表面が密着する（図９参照。）。これにより、電位治療器１０は使用者５０の臀部５１、太腿の付け根部分５３、及び背中５２が密着する表面クッション部材１４に使用者５０の体重を満遍なく分散させることができる。
【００２６】
制御部７０は、図８に示すように、第１筺体７０Ａ及び第１基板７０Ｂを有している。第１筺体７０Ａは、例えば、合成樹脂で形成され、ほぼ直方体状をなした箱である。第１筺体７０Ａの外形は座部本体１１Ｅの凹部１１Ｂが成す空間の形とほぼ同じである（図５参照。）。第１基板７０Ｂは第１筺体７０Ａに収納されており、実装された様々な電子部品によって電気回路が形成されている。制御部７０は商用電源（図示せず）から第１基板７０Ｂに電源コード７６Ｊを介して電力が供給され、この電力に基づいて動作する。制御部７０は後述する操作部８０を操作することによって、後述する機能部７５の動作を制御することができる。つまり、制御部７０は機能部７５の動作を制御する。制御部７０は、凹部１１Ｂに収納され、奥側の面を固定板１９の左側の面に当接させて固定板１９に固定されている。また、第１筺体７０Ａにはソケット７０Ｃが設けられている。ソケット７０Ｃには後述するブランケット７７のプラグ７７Ｇを差し込むことによって、ブランケット７７に電力を供給することができる。
【００２７】
機能部７５は、接続ボックス７１、一対の振動ユニット７８、ヒーター部材である第１ヒーター部材７２、第２ヒーター部材７３、及び電極７４を有している。
接続ボックス７１は第２筺体７１Ａ、及び第２基板７１Ｂを具備している。
第２筺体７１Ａは、例えば、合成樹脂で形成され、ほぼ直方体状をなした箱である。第２筺体７１Ａの外形は第１座部クッション部材１２の第１機能部収納部１２Ａが成す空間の形とほぼ同じである。
第２基板７１Ｂは第２筺体７１Ａに収納されており、実装された様々な電子部品によって電気回路が形成されている。第２基板７１Ｂと第１基板７０Ｂとは、互いに並列な２本のケーブル７６Ａ，７６Ｂを介して電気的に接続されている。ケーブル７６Ａは４本のハーネスが互いに並列をなして束ねられている。また、ケーブル７６Ｂは５本のハーネスが互いに並列をなして束ねられている。
【００２８】
こうして構成された接続ボックス７１は第１機能部収納部１２Ａに収納されている（図４参照。）。そして、ケーブル７６Ａ，７６Ｂは連通孔１１Ｃに挿通されて、第２基板７１Ｂと第１基板７０Ｂとを電気的に接続している。接続ボックス７１は第１基板７０Ｂから第２基板７１Ｂに電力が供給されると、後述する一対の振動ユニット７８、後述する第１ヒーター部材７２、後述する第２ヒーター部材７３、及び後述する電極７４のそれぞれに電力を分配して供給する。
【００２９】
一対の振動ユニット７８のそれぞれは、モータ７８Ａ及びモータ固定板７８Ｂ具備している。モータ７８Ａは、例えば、公知のアンバランスモータ等で構成されており、電力が供給されると回転子が回転して振動する。モータ７８Ａは第２基板７１Ｂに対して、互いに並列な２本のハーネス７６Ｃを介して電気的に接続されている。モータ固定板７８Ｂはほぼ正方形状をなした平板である。モータ固定板７８Ｂは、例えば、合成樹脂で形成されている。各モータ固定板７８Ｂにはモータ７８Ａが１つずつ、それぞれの回転子の回転が妨げられないように固定されている。こうして構成された各振動ユニット７８は一対の第２機能部収納部１２Ｂのそれぞれに各モータ７８Ａを１つずつ収納し、各モータ固定板７８Ｂで各第２機能部収納部１２Ｂの開口を塞ぐように各モータ固定板７８Ｂが第１座部クッション部材１２の上面に貼着されている（図２参照。）。
【００３０】
第１ヒーター部材７２は、図６（Ｂ）に示すように、基材７２Ａ、ヒーター線である電線７２Ｂ、不織布７２Ｃを具備している。基材７２Ａは長方形状をなしたフエルト製である。電線７２Ｂには、例えば公知のコードヒーターが用いられる。不織布７２Ｃは基材７２Ａとほぼ同じ大きさをなした布である。第１ヒーター部材７２は電線７２Ｂが基材７２Ａの一方の面に面状に蛇行状に配線されている。不織布７２Ｃは電線７２Ｂが配線された基材７２Ａの一方の面に、電線７２Ｂを覆って貼着されている。
第１ヒーター部材７２は、一対の凸部１１Ｄの間であって、第１機能部収納部１２Ａの前端より前方に位置する表面クッション部材１４の上面に貼着される（図６（Ａ）参照。）。
【００３１】
使用者５０が着座部１１に着座すると、第１ヒーター部材７２、表面クッション部材１４、第１座部クッション部材１２、及び第２座部クッション部材１３が変形する。特に、第１ヒーター部材７２の中央部は使用者５０の体重が掛かり易く、最も沈み込む。このため、第１ヒーター部材７２の中央部に電線７２Ｂを配線すると、電線７２Ｂが基材７２Ａに対してずれたり、断線したりするおそれがある。
電線７２Ｂが基材７２Ａに対してずれたり、断線したりすることを防止するため、第１ヒーター部材７２が表面クッション部材１４の上面に貼着された状態において、電線７２Ｂは、図６（Ａ）に示すように、長方形状をなした基材７２Ａの左右両端部、及び後端部に配線されており、基材７２Ａの中央部、及び前端部の左右中央に配線されていない。つまり、第１ヒーター部材７２が表面クッション部材１４の上面に貼着された状態において、後側が前側に比べて電線７２Ｂが面状に密に配線され、前側が後側に比べて面状に疎に配線されている。つまり、第１ヒーター部材７２は着座部１１の上面に位置する表面クッション部材１４の上面に面状に疎密に電線７２Ｂが配線されている。
【００３２】
また、電線７２Ｂの両端は、基材７２Ａの左端部の後端から引き出されている。引き出された電線７２Ｂの両端のそれぞれは、互いに並列な２本のハーネス７６Ｄを介して第２基板７１Ｂに電気的に接続されている。これらハーネス７６Ｄは、接続ボックス７１の近傍の表面クッション部材１４に厚み方向に貫通して設けられた貫通孔（図示せず）を経由して、第１ヒーター部材７２の電線７２Ｂの両端のそれぞれと、第２基板７１Ｂとを電気的に接続している。
こうして形成された第１ヒーター部材７２は変形自在であり、電線７２Ｂに電力が供給されると電線７２Ｂが発熱する。
【００３３】
第２ヒーター部材７３は、図７（Ｂ）に示すように、基材７３Ａ、電線７３Ｂ、不織布７３Ｃを具備している。基材７３Ａは長方形状をなしたフエルト製である。電線７３Ｂには、例えば公知のコードヒーターが用いられる。不織布７３Ｃは基材７３Ａとほぼ同じ大きさをなした布である。第２ヒーター部材７３は電線７３Ｂが基材７３Ａの一方の面に蛇行状に配線されている。不織布７３Ｃは電線７３Ｂが配線された基材７３Ａの一方の面に、電線７３Ｂを覆って貼着されている。
第２ヒーター部材７３は、背凭れ部１６の左右中央部であって、第１機能部収納部１２Ａの後端より上方の表面クッション部材１４の前面に貼着されている（図７（Ａ）参照。）。
【００３４】
また、電線７３Ｂの両端は、長方形状をなした基材７３Ａの左端部の下端から引き出されている。引き出された電線７３Ｂの両端それぞれは、互いに並列な２本のハーネス７６Ｅを介して第２基板７１Ｂに電気的に接続されている。これらハーネス７６Ｅは、接続ボックス７１の近傍の表面クッション部材１４に厚み方向に貫通して設けられた貫通孔（図示せず）を経由して、第２ヒーター部材７３の電線７３Ｂの両端のそれぞれと、第２基板７１Ｂとを電気的に接続している。
こうして形成された第２ヒーター部材７３は変形自在であり、電線７３Ｂに電力が供給されると電線７３Ｂが発熱する。
【００３５】
電極７４は、接続ボックス７１を介して制御部７０から電力が供給されると、供給された電力に基づいて所定の電圧を生じることができる。
電極７４は、図６（Ｂ）に示すように、導電材７４Ａ、及び両面テープ７４Ｃを具備している。導電材７４Ａはほぼ長方形状をなし、電気伝導性を有した繊維が織り込まれた布である。電極７４は、導電材７４Ａの一方の面を表面クッション部材１４に貼着された第１ヒーター部材７２の上面に対向させて、第１ヒーター部材７２の上側に両面テープ７４Ｃを用いて貼着されている（図４、５、６（Ｂ）参照。）。また、電極７４は電線７２Ｂが面状に疎に配線された第１ヒーター部材７２の前側の領域に重ねられている。つまり、電極７４は着座部１１の上面であって、前側に設けられている。これにより、電極７４に接触する電線７２Ｂの長さを抑えることができ、電極７４で生じる電圧が所望の大きさに到達し易くすることができる。また、導電材７４Ａの上面は、後述する絶縁物でないカバー部材２０で覆われているのみである。つまり、電極７４は接触型の電極である。
また、使用者５０が着座部１１に着座した状態において、使用者５０の臀部５１や太腿の付け根部分５３は着座部１１から離れる機会が少ない。このため、電極７４を着座部１１の上面に設けることによって使用者５０の体に電極７４をより確実に接触させることができる（図９参照。）。ここで、接触とは、電極７４が使用者５０に対して直接的又は間接的に接触する状態であって、電極７４と使用者５０とが絶縁物でない使用者５０の着衣（図示せず）や後述する絶縁物でないカバー部材２０等を介して近づいている状態である。
【００３６】
電極７４は導電材７４Ａに１本のハーネス７６Ｆの一端が電気的に接続されている。また、ハーネス７６Ｆの他端は第２基板７１Ｂに対して電気的に接続されている。ハーネス７６Ｆは、接続ボックス７１の近傍の表面クッション部材１４に厚み方向に貫通して設けられた貫通孔（図示せず）を経由して、電極７４と第２基板７１Ｂとを電気的に接続している。
こうして形成された電極７４は変形自在であり、電力が接続ボックス７１を介して制御部７０から供給されると、供給された電力に基づいて所定の電圧を生じる。
電極７４は接触型である。このため、着座部１１に使用者５０が着座すると、電極７４と使用者５０の太腿の付け根部分５３とが接触する。この状態において電極７４で電圧が生じると、使用者５０の着衣や後述するカバー部材２０を介して使用者５０に電圧が付与され、使用者５０の体全体に一様に電圧を付与することができる。電極７４から使用者５０には、電流が流れることが抑えられる構成となっている。これにより、電位治療器１０は使用者５０に電位治療を施すことができる。電位治療器１０は着座部１１に着座した使用者５０に電位治療を施すことによって、使用者５０の頭痛、肩こり、不眠症、及び便秘の症状を緩和することができる。
このように、機能部７５である接続ボックス７１、一対の振動ユニット７８、第１ヒーター部材７２、及び第２ヒーター部材７３、及び電極７４は電気によって動作する。
【００３７】
操作部８０は、第３筺体８０Ａ、及び第３基板８０Ｂを有している。
第３筺体８０Ａは、例えば、合成樹脂で形成され、ほぼ直方体状をなした箱である。
第３基板８０Ｂは第３筺体８０Ａに収納されており、表示部８０Ｃや複数の押しボタン８０Ｄ等の電子部品が実装され、電気回路が形成されている。第３基板８０Ｂと第１基板７０Ｂとは、１本のケーブル７６Ｇを介して電気的に接続されている。ケーブル７６Ｇは４本のハーネスが互いに並列をなして束ねられている。こうして操作部８０は形成されている。
【００３８】
ここで、表示部８０Ｃ、及び複数の押しボタン８０Ｄの構成について、図１２を参照しつつ説明する。表示部８０Ｃは、例えば、液晶表示素子で構成されている。表示部８０Ｃは、電位ランプ８１Ａ、モータ振動マーク８１Ｂ、タイマー時間表示部８１Ｃ、人マーク８１Ｄ、選択枠８１Ｅ，８１Ｆ，８１Ｇ、強さ表示部８１Ｐ，８１Ｑ，８１Ｒ、背中表示８１Ｔ、お尻表示８１Ｕ、膝表示８１Ｖ、及びその他表示部８１Ｓを具備している。表示部８０Ｃのこれら表示は、制御部７０の電源がオフ状態のときには消灯されている。
【００３９】
電位ランプ８１Ａは、電極７４で電圧が生じているときに点灯し、電極７４で電圧が生じていないときに消灯する。
モータ振動マーク８１Ｂは、振動ユニット７８のモータ７８Ａが振動しているときに点灯し、モータ７８Ａが振動していないときに消灯する。
タイマー時間表示部８１Ｃは電極７４で電圧が生じる時間を表示する。タイマー時間表示部８１Ｃには、制御部７０の電源がオフ状態からオン状態に切り替わると、初期値として"６０"（分）と点滅して表示される。
【００４０】
人マーク８１Ｄは、外枠８１Ｊ、頭部８１Ｋ、背中部８１Ｌ、臀部８１Ｍ、及び膝部８１Ｎを具備している。人マーク８１Ｄは、第１ヒーター部材７２、第２ヒーター部材７３、及び後述するブランケット７７のオン／オフの状態を表示することができる。
外枠８１Ｊは、制御部７０の電源がオフ状態からオン状態に切り替わると点灯し、制御部７０の電源がオン状態からオフ状態に切り替わると消灯する。
背中部８１Ｌは、第２ヒーター部材７３がオン状態のときに点灯し、第２ヒーター部材７３がオフ状態のときに消灯する。
臀部８１Ｍは、第１ヒーター部材７２がオン状態のときに点灯し、第１ヒーター部材７２がオフ状態のときに消灯する。
膝部８１Ｎは、後述するブランケット７７のプラグ７７Ｇが制御部７０のソケット７０Ｃに差し込まれ、且つオン状態のときに点灯し、ブランケット７７のプラグ７７Ｇが制御部７０のソケット７０Ｃに差し込まれていない、又はオフ状態のときに消灯する。
【００４１】
選択枠８１Ｅ，８１Ｆ，８１Ｇは、背中部８１Ｌに対応する第２ヒーター部材７３、臀部８１Ｍに対応する第１ヒーター部材７２、膝部８１Ｎに対応するブランケット７７の内、現在オン状態にすることができ、且つ温度を調節することができる部位を示すことができる。具体的には、選択枠８１Ｅが点灯している場合、第２ヒーター部材７３をオン状態にすることができ、且つ温度を調節することができ、選択枠８１Ｆが点灯している場合、第１ヒーター部材７２をオン状態にすることができ、且つ温度を調節することができ、選択枠８１Ｇが点灯している場合、ブランケット７７をオン状態にすることができ、且つ温度を調節することができる。
強さ表示部８１Ｐ，８１Ｑ，８１Ｒはそれぞれが３つの表示領域で構成されている。
強さ表示部８１Ｐは選択枠８１Ｅの枠内に配置されており、３つの表示領域が点灯する数を０〜３つに変更することによって、第２ヒーター部材７３の調節された温度の大きさをオフ、低、中、高の４段階で示すことができる。
強さ表示部８１Ｑは選択枠８１Ｆの枠内に配置されており、３つの表示領域が点灯する数を０〜３つに変更することによって、第１ヒーター部材７２の調節された温度の大きさをオフ、低、中、高の４段階で示すことができる。
強さ表示部８１Ｒは選択枠８１Ｇの枠内に配置されており、３つの表示領域が点灯する数を０〜３つに変更することによって、ブランケット７７の調節された温度の大きさをオフ、低、中、高の４段階で示すことができる。
背中表示８１Ｔ、お尻表示８１Ｕ、及び膝表示８１Ｖは、表示部８１に表示される情報を使用者５０が把握し易くするためのものであり、制御部７０の電源がオフ状態からオン状態に切り替わると点灯し、制御部７０の電源がオン状態からオフ状態に切り替わると消灯する。なお、膝表示８１Ｖはブランケット７７のプラグ７７Ｇが制御部７０のソケット７０Ｃに差し込まれていない場合には点灯しない。
【００４２】
その他表示部８１Ｓは、表示部８１に表示される情報を使用者５０が把握し易くするためのものであり、制御部７０の電源がオフ状態からオン状態に切り替わると点灯し、制御部７０の電源がオン状態からオフ状態に切り替わると消灯する。
【００４３】
複数の押しボタン８０Ｄは、電源ボタン８２Ａ、左ボタン８２Ｂ、右ボタン８２Ｃ、モータ振動オン／オフボタン８２Ｄ、ヒーターボタン８２Ｅ、及びエンターボタン８２Ｆを具備している。
電源ボタン８２Ａは、押下すると制御部７０の電源のオン／オフを切り替えることができる。
左ボタン８２Ｂ、及び右ボタン８２Ｃは、押下すると電極７４で電圧が生じる時間を３０分、又は６０分に切り替えたり、第２ヒーター部材７３、第１ヒーター部材７２、又はブランケット７７の内、現在選択されている部分の温度をオフ、低、中、高の４段階のいずれかに変化させたりすることができる。
モータ振動オン／オフボタン８２Ｄは、押下すると振動ユニット７８のモータ７８Ａを振動させたり、振動を停止させたりすることができる。
ヒーターボタン８２Ｅは、押下すると、第２ヒーター部材７３、第１ヒーター部材７２、ブランケット７７のいずれかを選択することができる。また、第２ヒーター部材７３、第１ヒーター部材７２、ブランケット７７のいずれも選択しない状態にすることもできる。
エンターボタン８２Ｆは、押下すると電極７４で電圧が生じ、且つ振動ユニット７８のモータ７８Ａを振動させることができる。
【００４４】
着座部１１に着座した使用者５０は、表示部８０Ｃに表示された情報を確認する。表示部８０Ｃには、現在の制御部７０の電源のオン／オフの状態、第１ヒーター部材７２、及び第２ヒーター部材７３の温度やそれぞれのオン／オフの状態、及び電極７４で電圧が生じる時間や電極７４のオン／オフの状態等の情報が表示される。そして、使用者は表示部８０Ｃに表示されたこれらの情報を把握し、その後、複数の押しボタン８０Ｄのいずれかを押下する。これにより、使用者５０は制御部７０の電源のオン／オフの状態、第１ヒーター部材７２、及び第２ヒーター部材７３の温度やそれぞれのオン／オフの状態、及び電極７４で電圧が生じる時間や電極７４のオン／オフの状態等を所望の状態に変更したり切り替えたりすることができる。
また、操作部８０は、後述するブランケット７７が制御部７０に電気的に接続されている場合、ブランケット７７の温度の表示や変更、及びオン／オフの状態の表示や切り替え等もすることができる。
【００４５】
カバー部材２０は布製である。カバー部材２０の厚みは全領域にわたりほぼ同じである。カバー部材２０は、図４、図１１に示すように、表面クッション部材１４の表面、座部本体１１Ｅの左右両側及び後側の面、背凭れ部１６の左右両側及び後側の面の形状に沿う形状に縫製されている。こうして形成されたカバー部材２０は表面クッション部材１４の表面、座部本体１１Ｅの左右両側及び後側の面、背凭れ部１６の左右両側及び後側の面に沿ってこれらの面を覆う。
【００４６】
また、カバー部材２０の座部本体１１Ｅの左側の面を覆う部分の前側には、図１１に示すように、ポケット２０Ａが設けられている。ポケット２０Ａは、四角形状をなした布である。ポケット２０Ａはカバー部材２０の座部本体１１Ｅの左側の面に前端縁、後端縁、及び下端縁が縫いつけられ、上端縁が縫いつけられていない。ポケット２０Ａには縫い付けられていない上端縁から操作部８０等を挿入して収納することができる。操作部８０をポケット２０Ａに収納しておくことで、電位治療器１０を容易に運搬することができる。また、カバー部材２０の座部本体１１Ｅの左側の面を覆う部分の後側の下端部には開口孔２０Ｂが形成されている。制御部７０には、開口孔２０Ｂを介して電源コード７６Ｊ、ケーブル７６Ｇ、及びケーブル７７Ｃが接続される。
【００４７】
カバー部材２０は、第１座部クッション部材１２、第２座部クッション部材１３、及び表面クッション部材１４が弾性変形すると、この弾性変形に追従して変形する。こうして電位治療器１０は構成されている。また、着座部１１の上面に位置する表面クッション部材１４の表面に位置するカバー部材２０の表面と、第１支持部１７の前面に位置する表面クッション部材１４の表面とがなす角度θはおよそ７５°〜９０°が好ましく、より好ましい角度θはおよそ８０°である（図４参照。）。
なお、カバー部材２０は着脱自在である。これにより、電位治療器１０はカバー部材２０を取り外すことによって制御部７０や機能部７５を容易にメンテナンスすることができる。また、取り外したカバー部材２０は洗濯することもできる。
【００４８】
絶縁部材２１は、図９に示すように、平板状をなして形成され、電気伝導性を有さない材料で形成されている。絶縁部材２１は、設置面Ｌに設置され、上面に着座部１１の座部本体１１Ｅの底面が当接される。絶縁部材２１は、着座部１１の前側から前方に、使用者５０の足を配置する所定の領域Ｓが設けられている。絶縁部材２１は、電極７４で生じた電圧が付与された使用者５０が設置面Ｌに触れることによって、使用者５０を介して電極７４と設置面Ｌとの間で電流が流れることを防止するものである。また、電位治療器１０は、座部本体１１Ｅの窪み部１１Ｆによって、所定の領域Ｓをより広くすることができる。これにより、電位治療器１０に着座した使用者５０が立ち上がる場合、窪み部１１Ｆに足を配置することによって、使用者５０の足が所定の領域Ｓ内に留まり易くすることができ、使用者５０の足が設置面Ｌに接触する機会を抑えることができる。
【００４９】
ここで、操作部８０を用いて電位治療器１０の制御部７０や機能部７５を操作する方法について、図１２、１３等を参照しつつ説明する。
【００５０】
先ず、使用者５０が電位治療器１０に着座し、そして、操作部８０の電源ボタン８２Ａを押下する（ステップＳ１）。すると、ステップ２に移行して、制御部７０の電源がオフ状態からオン状態に切り替わり、表示部８０Ｃの人マーク８１Ｄの外枠８１Ｊ、背中表示８１Ｔ、お尻表示８１Ｕ、及び膝表示８１Ｖ、及びその他表示部８１Ｓが点灯する。なお、ブランケット７７のプラグ７７Ｇが制御部７０のソケット７０Ｃに差し込まれていない場合、膝表示８１Ｖは点灯しない。また、タイマー時間表示部８１Ｃには、初期値として"６０"（分）と点滅して表示される。また、タイマー設定モードがオン状態になる。また、ステップＳ１において、電源ボタン８２Ａを押下しない場合、ステップＳ１に移行する。
【００５１】
次に、左ボタン８２Ｂ又は右ボタン８２Ｃを押下する（ステップＳ３）。すると、ステップＳ４に移行して、タイマー時間表示部８１Ｃの初期値の表示が"６０"（分）又は"３０"（分）のいずれかに切り替わる。なお、"６０"（分）及び"３０"（分）は点滅して表示されている。また、ステップＳ３において、左ボタン８２Ｂ又は右ボタン８２Ｃを押下しない場合、ステップＳ５に移行する。
【００５２】
次に、エンターボタン８２Ｆを押下する（ステップＳ５）。すると、ステップＳ６に移行して、電極７４で電圧が生じると共に、振動ユニット７８のモータ７８Ａが振動を開始する。このとき、電位ランプ８１Ａ、及びモータ振動マーク８１Ｂが点灯する。また、ステップＳ５において、エンターボタン８２Ｆを押下しない場合、ステップＳ３に移行する。
そして、ステップＳ７に移行してタイマーのカウントを行う。また、このとき、タイマー時間表示部８１Ｃの"６０"（分）又は"３０"（分）の表示は点滅した状態から点灯した状態に切り替わる。タイマー時間表示部８１Ｃの表示は１分毎に１ずつ減少し、タイマー時間表示部８１Ｃの表示が"６０"（分）の場合、およそ６０分経過するとタイマー時間表示部８１Ｃの表示は"０"（分）になり、タイマー時間表示部８１Ｃの表示が"３０"（分）の場合、およそ３０分経過するとタイマー時間表示部８１Ｃの表示は"０"（分）になる。
【００５３】
次に、ヒーターボタン８２Ｅを押下する（ステップＳ８）。すると、ステップＳ９に移行して、第２ヒーター部材７３、第１ヒーター部材７２、ブランケット７７のいずれかを選択することができる。また、第２ヒーター部材７３、第１ヒーター部材７２、ブランケット７７のいずれも選択しない状態にすることもできる。具体的には、ヒーターボタン８２Ｅを押下する毎に、選択枠８１Ｅ，８１Ｆ，８１Ｇが１つずつ交互に点灯し、選択枠８１Ｇが点灯した状態でヒーターボタン８２Ｅを押下すると選択枠８１Ｅ，８１Ｆ，８１Ｇが全て消灯し、第２ヒーター部材７３、第１ヒーター部材７２、及びブランケット７７のいずれも選択しない状態になる。
また、ブランケット７７のプラグ７７Ｇが制御部７０のソケット７０Ｃに差し込まれていない場合、ヒーターボタン８２Ｅを押下してもブランケット７７を選択することができなく、選択枠８１Ｇを点灯させることができない。この場合、選択枠８１Ｆが点灯した状態でヒーターボタン８２Ｅを押下すると選択枠８１Ｅ，８１Ｆが全て消灯し、第２ヒーター部材７３、及び第１ヒーター部材７２のいずれも選択しない状態になる。
また、ステップＳ８において、人マーク８１Ｄの頭部８１Ｋ、背中部８１Ｌ、臀部８１Ｍ、及び膝部８１Ｎは消灯している。また、強さ表示部８１Ｐ，８１Ｑ，８１Ｒも消灯している。また、ステップＳ８において、ヒーターボタン８２Ｅが押下されない場合、ステップＳ１２に移行する。
【００５４】
次に、左ボタン８２Ｂ又は右ボタン８２Ｃを押下する（ステップＳ１０）。すると、ステップＳ１１に移行して、ステップＳ９において選択された第２ヒーター部材７３、第１ヒーター部材７２、ブランケット７７の内のいずれかの温度をオフ、低、中、高の４段階のいずれかに変化させる。
ステップＳ９において第２ヒーター部材７３が選択されていた場合、人マーク８１Ｄの背中部８１Ｌが点灯し、第２ヒーター部材７３がオン状態になる。第１ヒーター部材７２が選択されていた場合、臀部８１Ｍが点灯し、第１ヒーター部材７２がオン状態になる。ブランケット７７が選択されていた場合、膝部８１Ｎが点灯し、ブランケット７７がオン状態になる。また、背中部８１Ｌ、臀部８１Ｍ、膝部８１Ｎ、及び強さ表示部８１Ｐ，８１Ｑ，８１Ｒは、第２ヒーター部材７３、第１ヒーター部材７２、ブランケット７７のそれぞれにおいて設定された温度が低、中、高（すなわち、強さ表示部８１Ｐ，８１Ｑ，８１Ｒの３つの表示領域の内、少なくとも１つが点灯した状態）である場合、ヒーターボタン８２Ｅを押下しても消灯しない。また、人マーク８１Ｄの頭部８１Ｋは、背中部８１Ｌ、臀部８１Ｍ、膝部８１Ｎのいずれかが点灯している間点灯する。また、ステップＳ１０において、左ボタン８２Ｂ又は右ボタン８２Ｃを押下されない場合、ステップＳ１２に移行する。
【００５５】
次に、モータ振動オン／オフボタン８２Ｄを押下する（ステップＳ１２）。すると、ステップＳ１３に移行して、ステップＳ６において振動を開始した振動ユニット７８のモータ７８Ａの振動が停止すると共に、モータ振動マーク８１Ｂも消灯する。また、モータ７８Ａの振動が停止した状態でモータ振動オン／オフボタン８２Ｄを押下すると、モータ７８Ａは再び振動を開始すると共に、モータ振動マーク８１Ｂも再び点灯する。また、ステップＳ１２において、モータ振動オン／オフボタン８２Ｄを押下しない場合、ステップＳ１４に移行する。
【００５６】
次に、タイマーのカウントが"０"（分）かどうか判別する（ステップＳ１４）。具体的には、ステップＳ７で開始したタイマーのカウントが"０"（分）かどうかを判別する。そして、タイマーのカウントが"０"（分）である場合は、ステップＳ１５に移行して、制御部７０の電源をオフ状態にし、表示部８１に表示されていた表示を全て消灯する。こうして、操作部８０を用いて電位治療器１０の制御部７０や機能部７５を操作することができる。また、ステップＳ１４において、タイマーのカウントが"０"（分）でない場合、ステップＳ７に移行して、タイマーのカウントを継続して行う。
【００５７】
着座部１１に使用者５０が着座すると、使用者５０の姿勢が正しい姿勢になり、使用者５０の背中５２や首の回りの筋肉の緊張が緩和されるため、血流が良好になり、使用者５０の頭痛や肩こりが緩和される。また、自律神経が安定し使用者５０がリラックスした状態になるため、使用者５０の不眠症が緩和される。さらに、正しい姿勢になることによって使用者５０の腹部が圧迫され難くなるため、使用者の腸の運動（分節運動や蠕動運動等）が行われ易くなり、使用者の便秘の症状が緩和される。
こうして、着座部１１に使用者５０が着座すると使用者５０は正しい姿勢で着座することができ、これにより、頭痛、肩こり、不眠症、及び便秘の症状を緩和することができる。
さらに、使用者５０が着座部１１に着座した状態で電極７４をオン状態にすると、電位治療器１０は電極７４で電圧を生じ、使用者５０にこの電圧を付与することによって電位治療を施すことができる。これにより、使用者５０が着座部１１に着座した状態で電極７４をオン状態にすると、使用者５０の頭痛、肩こり、不眠症、及び便秘の症状を緩和することができる。
つまり、電位治療器１０は、使用者５０が着座部１１に着座して正しい姿勢になった状態で電位治療を施すことによって、使用者５０の頭痛、肩こり、不眠症、及び便秘の症状をより良好に緩和することができる。
また、使用者５０が着座部１１に着座して正しい姿勢になると、使用者５０の神経の働きが良好になる。この状態で使用者５０に電位治療を施すことによって、使用者５０に電位治療の作用をより効果的に与えることができる。
【００５８】
また、電位治療器１０にはブランケット７７を電気的に接続することができる。ブランケット７７は、図８に示すように、電線７７Ａ、芯地７７Ｂ、ケーブル７７Ｃ、内袋７７Ｄ、及び外カバー７７Ｅを有している。
【００５９】
電線７７Ａは、例えば、公知のコードヒーター等が用いられる。
芯地７７Ｂは布製でありほぼ長方形状をなしている。また、芯地７７Ｂの一方の面にはサンゴの砂が充填された袋が縫いつけられている（図示せず。）。この袋は充填されたサンゴの砂が片寄らないようにするため、複数の領域に区分けされており、区分けされた各領域にサンゴの砂が充填されている。また、電線７７Ａは芯地７７Ｂの他方の面に蛇行状に配線されている。また、芯地７７Ｂの他方の面には、電線７７Ａと共にサーミスタ７７Ｆが貼着されている。
【００６０】
ケーブル７７Ｃは４本のハーネスが互いに並列をなして束ねられている。ケーブル７７Ｃの一方の端に位置する各ハーネスのそれぞれは、電線７７Ａの両端、及びサーミスタ７７Ｆの両端に１本ずつが電気的に接続されている。また、ケーブル７７Ｃの他方の端にはプラグ７７Ｇが設けられている。プラグ７７Ｇには４つの端子７７Ｈが設けられており、これら端子７７Ｈのそれぞれにケーブル７７Ｃの各ハーネスが１本ずつ電気的に接続している。プラグ７７Ｇは、制御部７０に設けられたソケット７０Ｃに差し込むことによって、電線７７Ａ及びサーミスタ７７Ｆのそれぞれと、制御部７０の第１基板７０Ｂとをケーブル７７Ｃを介して電気的に接続する。
【００６１】
内袋７７Ｄは布製で長方形状をなした袋状であり、長方形状の内の一辺が開口している。内袋７７Ｄの外形は芯地７７Ｂの外形より僅かに大きい。内袋７７Ｄは電線７７Ａが配線された芯地７７Ｂの全体を覆っている。
外カバー７７Ｅは布製で長方形状をなした袋状であり、長方形状の内の一辺が開口している。外カバー７７Ｅの外形は内袋７７Ｄの外形より僅かに大きい。外カバー７７Ｅは芯地７７Ｂを覆う内袋７７Ｄの全体を覆っている。
【００６２】
こうして構成されたブランケット７７は、プラグ７７Ｇを制御部７０のソケット７０Ｃに差し込むことによって電線７７Ａ及びサーミスタ７７Ｆのそれぞれに電力を供給することができる。そして、電線７７Ａは供給された電力に基づいて発熱する。また、サーミスタ７７Ｆは電線７７Ａの発熱によって暖められた芯地７７Ｂの温度に応じて電気抵抗値が変化し、この電気抵抗値がケーブル７７Ｃを介して制御部７０の第１基板７０Ｂに伝達される。制御部７０はこの電気抵抗値に基づいて電線７７Ａの発熱によって暖められた芯地７７Ｂの温度を得ることができる。
【００６３】
使用者５０が電位治療器１０に着座すると、臀部５１、及び太腿の付け根部分５３が着座部１１によって下から支えられ、背中５２が背凭れ部１６により後方から支えられる。
そして、使用者５０が操作部８０の表示部８０Ｃに表示された情報を確認して現在の電位治療器１０の機能部７５の状態を把握した後、複数の押しボタン８０Ｄのいずれかを押下する。これにより、使用者５０は、制御部７０の電源のオン／オフの状態、第１ヒーター部材７２、及び第２ヒーター部材７３の温度やそれぞれのオン／オフの状態、及び電極７４で電圧が生じる時間や電極７４のオン／オフの状態等を所望の状態に変更したり切り替えたりする。
そして、ブランケット７７のプラグ７７Ｇが制御部７０のソケット７０Ｃに差し込まれている場合、使用者５０は操作部８０を用いて、ブランケット７７の温度やオン／オフの状態を確認したり、ブランケット７７の温度やオン／オフの状態を所望の状態に切り替えたりすることもできる。
【００６４】
ここで、使用者５０が電極７４をオンの状態に切り替えた際に電極７４で生じる電圧Ｅは、図１０に示すように、所定の時間Ｔ毎に、大きさが０Ｖ（ボルト）から−Ｖpに矩形状に変化する矩形波である。−Ｖpは、例えば−６００Ｖ（ボルト）である。また、電極７４がオン状態（すなわち、使用者５０が操作部８０を用いて電極７４の状態をオン状態に切替えて、オン状態を保持している間）のとき、振動ユニット７８のモータ７８Ａを間欠的に駆動してモータ７８Ａを間欠的に振動させる。これにより、使用者５０に電極７４がオン状態であることを報知することができる。
【００６５】
このように、電位治療器１０は、着座部１１に使用者５０が着座すると、背凭れ部１６に向けて下方に傾斜する着座部１１によって、使用者５０の臀部５１が背凭れ部１６から離れ難くなる。これにより、使用者５０の腸骨５４や腰椎５５が背凭れ部１６の前面に沿う。さらに、背凭れ部１６の湾曲面１６Ａによって使用者５０の体が左右に旋回したり、左右に傾いたりすることが抑えられ、正しい姿勢で使用者５０が着座することができ、使用者５０の背中５２や首の回りの筋肉の緊張が緩和されるため、血流が良好になる。これにより、使用者５０の頭痛や肩こりの症状を緩和することができる。さらに、自律神経が安定し使用者５０がリラックスした状態になるため、使用者５０の不眠症を緩和することができる。また、腸骨５４が背凭れ部１６の前面に沿うことによって使用者５０の腹部が圧迫され難くなるため、使用者５０の腸の運動（分節運動や蠕動運動等）が行われ易くなり、使用者５０の便秘の症状を緩和することができる。
さらに、電位治療器１０は電極７４で電圧が生じると、この電圧によって使用者５０に電位治療を施すことができる。これにより、使用者５０が着座部１１に着座した状態で電極７４で電圧が生じると、使用者５０の頭痛、肩こり、不眠症、及び便秘の症状を緩和することができる。
つまり、電位治療器１０は、着座部１１に着座した使用者５０が正しい姿勢になった状態で電位治療を施すことによって、使用者５０の頭痛、肩こり、不眠症、及び便秘の症状をより良好に緩和することができる。
また、電位治療器１０は、背凭れ部１６の湾曲面１６Ａと、背凭れ部１６に向けて下方に傾斜する着座部１１とによって、電極７４の位置に使用者５０の体の位置を案内することができる。また、電位治療器１０は、背凭れ部１６に向けて下方に傾斜する着座部１１によって、使用者５０が深く着座することができる。これにより、電位治療器１０を使用することを意識することによって生じる使用者５０の緊張を緩和することができる。
【００６６】
したがって、本発明の電位治療器１０は、正しい姿勢で着座することができ、頭痛、肩こり、不眠症、及び便秘の症状をより良好に緩和することができる。
【００６７】
また、電位治療器１０の電極７４は接触型である。このため、電位治療器１０は、電極７４の一部が使用者５０に接触するのみで、電極７４で生じた電圧を使用者５０の体全体に一様に付与することができる。
【００６８】
また、電位治療器１０の電極７４は着座部１１の上面に設けられている。使用者５０が着座部１１に着座した状態において、使用者５０の臀部５１や太腿の付け根部分５３は着座部１１から離れる機会が少ない。このため、電極７４を着座部１１の上面に設けることによって使用者５０の体に電極７４をより確実に接触させることができる。
【００６９】
また、着座部１１の上面には、面状に疎密に配線された電線７２Ｂを有する第１ヒーター部材７２が設けられ、電線７２Ｂが疎に配線された第１ヒーター部材７２の前側の領域に電極７４が重ねられている。電極７４に接触する電線７２Ｂの長さが長くなると、電極７４で生じる電圧が所望の大きさに到達しないおそれがある。このため、電位治療器１０は電線７２Ｂが面状に疎に配線された第１ヒーター部材７２の前側の領域に電極７４を重ね、電極７４に接触する電線７２Ｂの長さを抑えることによって、電極７４で生じる電圧が所望の大きさに到達し易くすることができる。
【００７０】
また、着座部１１は前面の左右中央部に後方向に窪んだ窪み部１１Ｆが設けられている。このため、電位治療器１０は、着座部１１に着座した使用者５０が立ち上がる際に、窪み部１１Ｆに足を配置することによって、使用者５０の重心の位置を使用者５０の足の上に移動させ易くすることができるため、使用者５０が立ち上がり易い。
また、電位治療器１０を設置面Ｌに設置する場合、電気伝導性を有さない絶縁部材２１を介して設置面Ｌに設置する必要がある。そして、絶縁部材２１は、着座部１１の前側から前方に、使用者５０の足を配置する所定の領域Ｓを設ける必要がある。つまり、電位治療器１０は窪み部１１Ｆによって、使用者５０の足を配置する所定の領域Ｓをより広くすることができる。これにより、電位治療器１０に着座した使用者５０が立ち上がる場合、窪み部１１Ｆに足を配置することによって使用者５０の足が所定の領域Ｓ内に留まり易くすることができ、使用者５０の足が設置面Ｌに接触する機会を抑えることができる。
【００７１】
＜他の実施例＞
本発明は上記記述及び図面によって説明した実施例に限定されるものではなく、例えば次のような実施例も本発明の技術的範囲に含まれる。
（１）実施例１の電位治療器は、座部本体と背凭れ部が一体的に形成されたものであるが、別体で成形された座部本体と背凭れ部とを組み付けて構成されるものであってもよい。これにより、梱包したり、運搬したりする時に、よりコンパクトにすることができる。
（２）実施例１では、座部本体、及び背凭れ部が発泡スチロール製であったが、座部本体、及び背凭れ部を積層した段ボールや、ハニカム構造体等の他の材料で形成してもよい。また、これらの材料を併用してもよい。
（３）実施例１では、制御部と操作部とがケーブルで電気的に接続されているが、操作部を電池による駆動として、制御部と操作部とのそれぞれに無線を送受信する送受信部を設け、制御部と操作部とを無線で通信させてもよい。これにより、より外観をすっきりさせることができ、さらに運搬し易くなる。
（４）実施例１では、電極を着座部の上側に設けられた第１ヒーター部材の上面に貼着しているが、電極を背凭れ部の前側に設けられた第２ヒーター部材の前面や、座部本体の前面に位置する表面クッション部材の前面に貼着してもよい。
（５）実施例１では、機能部として、接続ボックス、一対の振動ユニット、第１ヒーター部材、第２ヒーター部材、及び電極を設けているが、使用者の体温、脈拍、血圧等の生体情報を読み取ったり、使用者が着座した際に本体部に掛かる圧力を検知したりする圧力センサーを機能部として設け、これらセンサーから得られた情報を操作部の表示部に表示させてもよい。また、使用者に施術を行う場合、これらセンサーから得られた情報に基づいて、使用者の体の状態に最適な施術を行うことができる。また、マッサージ器や、電気刺激装置等の装置を機能部として設けてもよい。
（６）実施例１では、第１座部クッション部材に形成された第１機能部収納部に接続ボックスが収納され、第２機能部収納部に振動ユニットが収納されているが、座部本体の上面に、座部本体の上面から底面に向けて窪んで第１機能部収納部、及び第２機能部収納部を形成してもよい。これにより、使用者の臀部から操作ボックスをより離すことができ、使用者の臀部に操作ボックスの感触を伝え難くすることができる。また、使用者の臀部から一対の振動ユニットまでの距離を調節する幅を拡げることができるため、使用者に伝わる振動ユニットの振動の感覚をより様々に変化させることができる。また、第１機能部収納部、及び第２機能部収納部を座部本体の側面に形成してもよい。つまり、第１機能部収納部及び第２機能部収納部を座部本体に窪んで設けて、機能部である接続ボックスや一対の振動ユニットの少なくとも一部を収納する。
（７）実施例１では、電極で生じる電圧は０Ｖから−６００Ｖで矩形状に変化するが、０Ｖに限らず、０Ｖより大きくてもよく、小さくてもよい。また、−６００Ｖに限らず、−６００Ｖより大きくてもよく、小さくてもよい。また、電圧の変化が矩形状に変化しなくてもよく、正弦波等の他の波形形状にしてもよい。
（８）実施例１では、固定板が木製であるが、合成樹脂等の他の材料であってもよい。
（９）実施例１では、電極に電気伝導性を有した繊維が織り込まれた布で形成された接触型の電極であるが、合成樹脂製の第１シートの一方の面に金属製の網目状のパターンを設け、このパターンの表面の全体を覆うように合成樹脂製の第２シートを第１シートの一方の面に貼着した非接触型の電極を用いてもよい。
（１０）実施例１では、座部本体の上面が、前後方向において下方向に窪んでおり、前端から前後中央部に向けて後方向に下降して傾斜し、前後中央部から後端部に向けて上昇して傾斜しているが、前端から後端部に向けて後方向に下降して傾斜して、前後中央部から後端部に向けて上昇して傾斜していなくてもよい。これにより、着座した使用者の臀部をより背凭れ部から離れ難くすることができる。
（１１）実施例１では、制御部が凹部に収納されているが、制御部の一部を凹部に収納してもよい。
【符号の説明】
【００７２】
１０…電位治療器
１１…着座部（座部）
１１Ｆ…窪み部
１６…背凭れ部
１６Ａ…湾曲面
７２…第１ヒーター部材（ヒーター部材）
７２Ｂ…電線（ヒーター線）
７４…電極
【図１】
2019092853.tif 000003
【図２】
2019092853.tif 000004
【図３】
2019092853.tif 000005
【図４】
2019092853.tif 000006
【図５】
2019092853.tif 000007
【図６】
2019092853.tif 000008
【図７】
2019092853.tif 000009
【図８】
2019092853.tif 000010
【図９】
2019092853.tif 000011
【図１０】
2019092853.tif 000012
【図１１】
2019092853.tif 000013
【図１２】
2019092853.tif 000014
【図１３】
2019092853.tif 000015